(57)【要約】【課題】  金型を使って効率的に製造できるとともに室外への縦横自在設置を配慮したドレンパンを提供することを目的とする。【解決手段】  室外設置型室内ユニット５の室内熱交換器２１からのドレンを受けるドレンパン９３であって、周囲に壁部１０９を有する折り曲げが可能で、幅方向に略全幅に亘り延在する折曲部１１１を有する水受部材１０１と、水受部材１０１の壁部１０９と反対側の背面における折曲部１１１を挟んで、それぞれ水受部材１０１と一体的に取り付けられた断熱機能を有する第一構造部材１０３および第二構造部材１０５と、を備え、水受部材１０１は折曲部１１１で第一構造部材１０３および第二構造部材１０５が交差する方向になるように折り曲げられ、室内熱交換器２１の２方向をカバーするように室外設置型室内ユニット５に取り付けられていることを特徴とする。【選択図】      図４
2008128520.tif 000002
【特許請求の範囲】
【請求項１】
空調ユニットの熱交換器からのドレンを受けるドレンパンであって、
周囲に壁部を有する折り曲げが可能で、幅方向に略全幅に亘り延在する折曲部を有する水受部材と、
該水受部材の前記壁部と反対側の背面における前記折曲部を挟んで、それぞれ前記水受部材と一体的に取り付けられた断熱機能を有する第一構造部材および第二構造部材と、を備え、
前記水受部材は前記折曲部で前記第一構造部材および前記第二構造部材が交差する方向になるように折り曲げられ、前記熱交換器の２方向をカバーするように前記空調ユニットに取り付けられていることを特徴とするドレンパン。
【請求項２】
前記折曲部は、軸線が幅方向に延在するように湾曲されていることを特徴とする請求項１に記載されたドレンパン。
【請求項３】
前記折曲部にドレン抜き孔が備えられていることを特徴とする請求項１または請求項２に記載されたドレンパン。
【請求項４】
前記第一構造部材および前記第二構造部材は、発泡樹脂で構成されていることを特徴とする請求項１から請求項３のいずれかに記載されたドレンパン。
【請求項５】
熱交換器と、該熱交換器の２方向をカバーするように取り付けられた請求項１から請求項４のいずれかに記載されたドレンパンを備えていることを特徴とする空調ユニット。
【請求項６】
少なくとも１台の請求項５に記載された空調ユニットを備えていることを特徴とする空気調和装置。
【発明の詳細な説明】
【技術分野】
【０００１】
本発明は、ドレンパンおよびこれを用いた空調ユニットならびに空気調和装置に関するものである。
【背景技術】
【０００２】
空気調和装置の空調ユニットとしての室内ユニットには、床置き形、壁掛け形、天井吊下げ形、天井カセット形、天井埋込形と設置場所が異なるものがある。
また、特許文献１に示されるように室内を広く使い、室内景観をよくする目的で室内ユニットを室外に設置するものが提案されている。
これらの室内ユニットには、室内熱交換器で生じる凝縮水（ドレン）を受けるドレンパンが備えられている。ドレンパンは基本的には、熱硬化性樹脂で形状を維持できるよう形成され、室内熱交換器の下方をカバーするように設置されている。
【０００３】
最近、例えば、天井吊下げ形と壁掛け形とを兼用するような室内ユニットが提案されている。
このような室内ユニットでは、天井吊下げ時と壁掛け時とで室内熱交換器の下方位置が略９０度異なるので、一方の姿勢用のドレンパンを標準として取付けておき、他方の姿勢で設置する場合、オプションとして用意された他方の姿勢用のドレンパンを追加する、あるいは、両方のドレンパンを同時に組み込んでおくという対応が取られていた。
しかし、これらはドレンパンの取付工事が必要となったり、構造が複雑となったりするという問題を有していた。
【０００４】
これを解消するものとして、例えば、特許文献１に示されるように、１個のドレンパンで室内ユニットの取付姿勢が変わった場合におけるそれぞれの室内熱交換器の下方位置をカバーするものが提案されている。
これは、２つの受面が略直交にように形成され、一の取付姿勢では一の受面が室内熱交換器の下方に位置し、他の取付姿勢では他の受面が室内熱交換器の下方に位置するようにされている。
そして、各受面の周囲にはドレンを貯留するために直立する壁部が形成されている。
【０００５】
【特許文献１】特開２００４−２７８９９６号公報
【特許文献２】特開２００６−１９４５５４号公報
【発明の開示】
【発明が解決しようとする課題】
【０００６】
しかしながら、特許文献２に示されるものは、略直交する受面の周囲に壁部が内側に、すなわち他方の受面に向けて立設されているので、抜き勾配が取れないため、一体成形が難しいという問題があった。
また、特許文献２に示される室内ユニットは、断熱に対する考慮がなされていないため、室外に設置するのが難しいという問題があった。
【０００７】
本発明は、上記問題点に鑑み、金型を使って効率的に製造できるとともに室外への縦横自在設置を配慮したドレンパンおよびこれを用いた空調ユニットならびに空気調和装置を提供することを目的とする。
【課題を解決するための手段】
【０００８】
上記課題を解決するために、本発明は以下の手段を採用する。
すなわち、本発明にかかるドレンパンは、空調ユニットの熱交換器からのドレンを受けるドレンパンであって、周囲に壁部を有する折り曲げが可能で、幅方向に略全幅に亘り延在する折曲部を有する水受部材と、該水受部材の前記壁部と反対側の背面における前記折曲部を挟んで、それぞれ前記水受部材と一体的に取り付けられた断熱機能を有する第一構造部材および第二構造部材と、を備え、前記水受部材は前記折曲部で前記第一構造部材および前記第二構造部材が交差する方向になるように折り曲げられ、前記熱交換器の２方向をカバーするように前記空調ユニットに取り付けられていることを特徴とする。
【０００９】
本発明にかかるドレンパンは、ドレンを受ける水受部材が折り曲げ可能とされているので、開いた状態で成形される。
したがって、成形後の形状は、周囲に壁部が立設した形状であるので、抜き勾配を十分に取れ、金型を用いて効率的に成形することができる。
その後、第一構造部材および第二構造部材を一体的に取り付けられると、折曲部を除いて変形が規制されるので、変形することなく空調ユニットに取付けることができる。
そして、折曲部で第一構造部材および第二構造部材が交差する方向になるように折り曲げられ、熱交換器の２方向をカバーするように空調ユニットに取り付けられるので、一の取付姿勢に対して第一構造部材で支持された水受部材が室内熱交換器からのドレンを受けるように位置し、他の取付姿勢では第二構造部材で支持された水受部材が室内熱交換器からのドレンを受けるように位置させることができる。
このように、空調ユニットの取付姿勢が多様化するので、空調ユニットは設置場所の制限が少なく、かつ、多様な姿勢で設置することができる。
【００１０】
第一構造部材および前記第二構造部材は、例えば、樹脂で金型成形する場合、開いた状態の水受部材を金型に装着した状態で、第一構造部材および前記第二構造部材を形成するようにすると、抜き勾配を十分に取れる形状であるので、金型を用いて効率的に一体成形することができる。
また、第一構造部材および前記第二構造部材は水受部材に対して熱交換器と反対側、すなわち、外側に位置することとなる。第一構造部材および前記第二構造部材は、断熱機能を有しているので、例えば、空調ユニットを室外に設置する場合に、外部空気が熱交換器に影響するのを抑制することができ、空調ユニットの室外設置に対応することができる。
さらに、室外に設置する場合に、空調ユニットの断熱構造を簡素化することができる。
なお、第一構造部材および前記第二構造部材は、樹脂で金型成形する代わりに断熱材を貼りつけるようにしてもよい。また、中空体として空気層の断熱機能を用いるようにしてもよい。
【００１１】
また、本発明にかかるドレンパンでは、前記折曲部は、軸線が幅方向に延在するように湾曲されていることを特徴とする。
【００１２】
このように、折曲部は、軸線が幅方向に延在するように湾曲されているので、第一構造部材および第二構造部材が交差する方向になるように折り曲げる際、容易に折り曲げることができる。
【００１３】
また、本発明にかかるドレンパンでは、前記折曲部にドレン抜き孔が備えられていることを特徴とする。
【００１４】
第一構造部材で支持された水受部材と第二構造部材で支持された水受部材とが成す角度が鋭角になるように設置すると、第一構造部材が下になる姿勢および第二構造部材が下になる姿勢としてもドレンを受ける水受部材で折曲部が最下部に位置するように取付けられる。
本発明では、折曲部にドレン抜き孔が備えられているので、いずれの姿勢でも水受部材に落下したドレンが折曲部に集まり、ドレン抜き孔から外部に排出することができる。
このように、空調ユニットの取付姿勢にかかわらずドレンの外部への排出が１箇所で行えるので、構造を簡単とし、安価に製造することができる。
【００１５】
また、本発明にかかるドレンパンでは、前記第一構造部材および前記第二構造部材は、発泡樹脂で構成されていることを特徴とする。
【００１６】
このように、第一構造部材および第二構造部材は、発泡樹脂で構成されているので、開いた状態の水受部材を金型に装着し、金型内に発泡ビーズを封入し、蒸気によって加熱して発泡させることで、第一構造部材および前記第二構造部材を水受部材と一体に形成することができる。
したがって、ドレンパンを効率的に一体成形することができる。
【００１７】
また、本発明にかかる空調ユニットでは、熱交換器と、該熱交換器の２方向をカバーするように取り付けられた請求項１から請求項４のいずれかに記載されたドレンパンを備えていることを特徴とする。
【００１８】
本発明にかかる空調ユニットによれば、熱交換器と、熱交換器の２方向をカバーするように取り付けられた請求項１から請求項４のいずれかに記載されたドレンパンを備えているので、空調ユニットの取付姿勢を多様化することができる。
このため、空調ユニットは設置場所の制限が少なく、かつ、多様な姿勢で設置することができるので、ユーザニーズに沿って設置することができる。
また、外部空気が熱交換器に影響するのを抑制することができるので、空調ユニットの室外設置に対応することができる。さらに、室外に設置する場合に、空調ユニットの断熱構造を簡素化することができる。
【００１９】
本発明にかかる空気調和装置は、少なくとも１台の請求項５に記載された空調ユニットを備えていることを特徴とする。
【００２０】
本発明にかかる空気調和装置は、少なくとも１台の請求項５に記載された空調ユニットを備えているので、空調ユニットをユーザニーズに沿って設置することができる。
【発明の効果】
【００２１】
本発明によれば、ドレンを受ける水受部材が折り曲げ可能とされているので、抜き勾配を十分に取れ、金型を用いて効率的に成形することができる。
また、一体的に取り付けられる第一構造部材および第二構造部材により変形しないように規制され、折曲部で第一構造部材および第二構造部材が交差する方向になるように折り曲げられ、熱交換器の２方向をカバーするように空調ユニットに取り付けられるので、空調ユニットは設置場所の制限が少なく、かつ、多様な姿勢で設置することができる。
また、第一構造部材および前記第二構造部材は、断熱機能を有しているので、外部空気が熱交換器に影響するのを抑制することができ、空調ユニットの室外設置に対応することができる。
【発明を実施するための最良の形態】
【００２２】
以下、本発明の一実施形態について、図１〜図８を用いて説明する。
図１は本実施形態にかかる空気調和装置の設置状態を示す斜視図である。図２は、本実施形態にかかる室外設置用室内ユニットの内部概略構成を示す正面図である。図３は、本実施形態にかかるドレンパンの斜視図である。図４は、図３のＹ−Ｙ断面図である。図５および図６は、設置状態の異なる室外設置型室内ユニットを示す図２のＸ−Ｘ断面図である。
図７は、水受部材の加工状態を示す断面図である。図８は、ドレンパンの加工状態を示す断面図である。
【００２３】
本実施形態にかかる空気調和装置１は、図１に示されるように１台の室外ユニット３に、複数台、例えば２台の室外設置型室内ユニット（空調ユニット）５が接続された、マルチ室内ユニットタイプと称されるものである。
これら室外ユニット３および室外設置用室内ユニット５は、冷媒が導通する冷媒配管である液管７およびガス管９や図示しない電気配線等により接続されている。
【００２４】
空気調和装置１は、室外ユニット３および室外設置用室内ユニット５内に設置された各機器を液管７およびガス管９によって接続し、冷媒が状態を変えて循環する冷媒回路を構成している。
室外ユニット３には、図示しない圧縮機、室外熱交換器、等が備えられている。
室外ユニット３は、冷房時には、冷却した液冷媒を液管７によって各室外設置用室内ユニット５へ供給し、暖房時には、高温高圧のガス冷媒を各室外設置用室内ユニット５に供給する。
【００２５】
室外設置用室内ユニット５には、図２に示されるように、各機器を収納するケーシング１１と、全熱交換器１３と、ロールフィルタ１５と、シロッコファン１７と、ファンモータ１９と、室内熱交換器２１と、排気用ファン２３と、外部空気取入用ファン２５と、ゴミ排出ファン２７と、制御箱２９とが備えられている。
ケーシング１１は、略直方体形状をした中空体である。ケーシング１１の内部は、仕切部材３１によって全熱交換器１３等を設置する全熱交換器セクション３３と、室内熱交換器２１等を設置する室内熱交換器セクション３５と、シロッコファン１７等を設置する送風機セクション３７とに区切られている。
【００２６】
ケーシング１１の前面３９には、全熱交換器セクション３３、室内熱交換器セクション３５および送風機セクション３７が略全面に亘り開口している。
これらの開口部を覆うようにそれぞれ全熱交換器セクションパネル４１、室内熱交換器セクションパネル４３および送風機セクションパネル４５が備えられている。（図１参照）
全熱交換器セクションパネル４１、室内熱交換器セクションパネル４３および送風機セクションパネル４５は、前面３９にパッキン等を介して密封できるように着脱可能に取り付けられている。
【００２７】
ケーシング１１の前面３９と略直交するように交差する上面４７には、吸引ダクト４９が接続される吸引口部５１と、吹出ダクト５３が接続される吹出口部５５とが備えられている。
吸引口部５１は、全熱交換器セクション３３に位置し、吹出口部５５は室内熱交換器セクション３５に位置している。
ケーシング１１の上面４７および下面５７の両端部で、背面５９側には、ネジが切られた貫通孔６１を有する固定金具６３が固定して取付けられている。
【００２８】
排気用ファン２３は、全熱交換器セクション３３の外側面下部に排気開口部６７を有し、内側に開閉可能な排気扉６９を有する排気ダクト７１の中に取付けられている。
外部空気取入用ファン２５は、全熱交換器セクション３３に下部側面側に配置され、全熱交換器セクション３３の下面５７に取入開口部７３を有し、内側に開閉可能な取入扉７５を有する取入ダクト７７の中に取付けられている。
ゴミ排出ファン２７は、全熱交換器セクション３３の下部中央側に配置され、全熱交換器セクション３３の下面に排出開口部７９を有し、内側に開閉可能な排出扉８１を有する排出ダクト８３の中に取付けられている。
【００２９】
ロールフィルタ１５は、全熱交換器セクション３３と送風機セクション３７とを区切る仕切部材３１に設けられた開口部に設置され、シロッコファン１７に吸引されて通過する吸引口部５１から吸引された室内空気に含まれるダスト等のゴミを分離して回収する機能を奏する。
ロールフィルタ１５で回収されたゴミは図示しない掻き取り等の回収手段によって除去され、ゴミ排出ファン２７によって外部に排出される。
【００３０】
シロッコファン１７は、複数枚の羽根を環状配置させて円筒をなし、ファンモータ１９によって回転させられる。シロッコファン１７は、この羽根の回転によってこの円筒の軸線中心部に流入する空気を円筒の接線方向に向けて流路が形成された送風ダクト６５内を通って室内熱交換器２１に向けて送り出すものである。
室内熱交換器２１は、シロッコファン１７によって送られる空気を冷却あるいは加熱するもので、例えば、複数のプレートフィンを平行に配列するとともにその両側にそれぞれ側板を配置し、かつこれら側板および複数のプレートフィンの間に冷媒の流れるチューブを配設した構成とされている。
すなわち、このチューブの両端に液管７とガス管９とが接続されている。
液管７には、膨張弁８５とストレーナ８７とが備えられている。
【００３１】
空気調和装置１の運転等を制御する制御部が収納されている制御箱２９は、送風機セクション３７の下部に設置されている。
制御箱２９のシロッコファン１７側には、スピーカ８９が取付けられている。制御箱２９に設けられた図示しない信号処理回路によって、吹出ダクト５３内に設置されたマイクロフォン９１で検出された騒音波形をもとに、それと逆位相の音波形を出すような信号が形成され、スピーカ８９に供給される。スピーカ８９は、この信号に応じて指示された音波形に従った音を発生し、吹出ダクト５３および吸引ダクト４９を通って室内に伝播される騒音を低減するように構成されている。
【００３２】
室内熱交換器セクション３５の室内熱交換器２１の下方には室内熱交換器２１で発生するドレンを受けるドレンパン９３が備えられている。
ドレンパン９３に貯留したドレンは、ドレン管９５を通って機外に排出される。
ケーシング１１の下面５７には、液管７、ガス管９、図示しない配線等およびドレン管９５が通る貫通孔が備えられている。
【００３３】
このように構成された２台の室外設置型室内ユニット５を含む空気調和装置１は、図１に例示する集合住宅において次ぎのように設置されている。
室外ユニット３は、ベランダ９７の所定位置に載置される。
２台の室外設置型室内ユニット５は、部屋の外壁９９に取付けられる。
室外設置型室内ユニット５ａは、取付位置における幅方向寸法に余裕があるので、上面４７、すなわち、吸引ダクト４９および吹出ダクト５３が上になるように配置し、固定金具６３をコンクリートボルトによって外壁９９に固定することで取付けられる。
これは、前面３９が上下方向に延在するので、縦置きと称される。
【００３４】
そして、室外設置型室内ユニット５ｂは、設置位置における上下方向高さが小さいので、前面３９が下側に向き、かつ、横方向に延在する形（横置き）で設置される。
ケーシング１１は、固定金具６３が吊りボルト９８の先端に取付けられることによって、例えば、上の階のベランダ９７の下面に吊下げられる。
このように横置き配置とすると、設置場所の上下方向高さはケーシング１１の厚みと略同等以上あればよい。
【００３５】
ドレンパン９３の構成について図３および図４によって説明する。
ドレンパン９３には、水受部材１０１と、第一構造部材１０３と、第二構造部材１０５とが備えられている。
水受部材１０１は、ドレンを受ける略矩形状の受部１０７と、受部１０７の周囲に立設された壁部１０９とで、上部が開放された箱形状に形成されている。
壁部１０９は、上方に向かうに連れて若干外側に開くように構成されている。
水受部材１０１は、ＡＢＳ樹脂製のシートで形成されているので、比較的自由に折り曲げることができる。
なお、水受部材１０１の材料としては、ポリスチレン、ポリプロピレン、軟質ビニール等を用いてもよい。
【００３６】
受部１０７は、幅方向全長に亘り延在する折曲部１１１を区切りとして第一受面部１１３と第二受面部１１５に分離されている。
折曲部１１１は、その長手方向、すなわち、幅方向に沿う軸線中心を持つように下方に凸（軸線中心が壁部１０９側に位置するよう）に湾曲されている。
壁部１０９の折曲部１１１に相当する位置には、開いた扇子のように複数の折り目線が内側と外側と交互に設けられている。
折曲部１１１の最も下側に位置するところには、適宜な場所に貫通した貫通孔（ドレン抜き孔）１１７が形成されている。
【００３７】
第一構造部材１０３は、第一受面部１１３と第一受面部１１３に対応する壁部１０９との外側面に一体的に取り付けられた発泡スチロールで形成された部材である。
第二構造部材１０５は、第二受面部１１５と第二受面部１１５に対応する壁部１０９との外側面に一体的に取り付けられた発泡スチロールで形成された部材である。
第一構造部材１０３および第二構造部材１０５は、曲げ剛性が高いので、水受部材１０１が変形するのを抑制する機能を奏する。
折曲部１１１は依然として変形し易いままであるので、折曲部１１１を中心として第一受面部１１３と第二受面部１１５とが接近するように回動することができる。
【００３８】
ドレンパン９３の幅方向における長さＬ１は、室内熱交換器２１の幅Ｂよりも大きくされている。
第一構造部材１０３の端から折曲部１１１の中心位置までの距離Ｌ２は、室内熱交換器２１の設置高さＨよりも大きくされている。
第二構造部材１０５の端から折曲部１１１の中心位置までの距離Ｌ３は、室内熱交換器２１の設置深さＤよりも大きくされている。
第二受面部１１５および第二構造部材１０５には、送風ダクト６５の先端部分が貫通して挿入される挿入孔１１９が設けられている。
【００３９】
ドレンパン９３は、図４に二点鎖線で示したように第一受面部１１３と第二受面部１１５とが成す角度θが鋭角となるように折り曲げられた状態で、図５あるいは図６に示されるように室外設置型室内ユニット５に設置されている。
このようにドレンパン９３を折り曲げると壁部１０９の折曲部１１１に相当する部分では、折り目線に沿って扇子が閉じるように折り畳まれる。
このとき、挿入孔１１９に貫通して挿入された送風ダクト６５と第二受面部１１５との間には、必要があれば詰め物をする等して隙間ができないようにされる。
第一受面部１１３は、上部が内側（室内熱交換器２１側）に位置するように傾斜し、一方、第二受面部１１５は、奥側が上側（室内熱交換器２１側）に位置するように傾斜させられている。
貫通孔１１７にはソケット１２１が挿入され、ソケット１２１にはドレン管９５が接続されている。
【００４０】
以上説明した本実施形態にかかる空気調和装置１の動作について説明する。
次に、空気調和装置１の各種運転について説明する。
まず、冷房運転を行う場合には、室外ユニット５から液管７により室内熱交換器２１に冷めたい液冷媒が供給される。その途中で液冷媒は膨張弁８５によって膨張され室内熱交換器２１に流入する。
そして、シロッコファン１７の回転により、吸込ダクト４９を介して吸引口部５１から取り入れられた室内空気は、ロールフィルタ１５でダスト等のゴミを分離された状態で、室内熱交換器２１を通過して冷却される。この室内熱交換器２１で冷却された空気が吹出口部５５を通って吹出ダクト５３から室内に吹き出され、室内の冷房を行う。
室内熱交換器２１を流れる冷媒は、室内空気との熱交換によって暖められてガス化し、ガス管９を通って室外ユニット３に戻される。
【００４１】
このとき、室内空気に含まれる水蒸気が、冷媒によって冷却された室内熱交換器２１に触れて凝縮し、ドレンとなる。
このドレンは、室内熱交換器２１に沿って流下し、縦置きの室外設置型室内ユニット５ａ（図５参照）の場合には、第二受面部１１５の上に落下し、横置きの室外設置型室内ユニット５ｂの場合には、第一受面部１１３の上に落下する。
第一受面部１１３あるいは第二受面部１１５に落下したドレンは、第一受面部１１３あるいは第二受面部１１５の傾斜によって折曲部１１１の方向へ流下する。
そして、ソケット１２１を介してドレン管９５に流下し、外部に排出される。
【００４２】
このように、室外設置型室内ユニット５が縦置きでも横置きでもドレンの処理が行えるので、室外設置型室内ユニット５の取付姿勢を多様化することができる。
特に、横置きの場合、室外設置型室内ユニット５ｂの外壁９９側側面をベランダ側に位置するように取付ければ、吸引ダクト４９および吹出ダクト５３がケーシング１１の左側に位置させることができる。
また、吸引ダクト４９および吹出ダクト５３を外壁９９側に向けるように設置することができる。
このように、集合住宅においてよく求められる左右勝手の違い等に対応して多様に設置することができる。
【００４３】
また、暖房運転を行う場合には、室外ユニット５からガス管９により室内熱交換器２１に暖かいガス冷媒が運ばれ、上述の冷房運転と同様に流れる室内空気を暖める。
この室内熱交換器２１で冷却された空気が吹出口部５５を通って吹出ダクト５３から室内に吹き出され、室内の暖房を行う。
室内熱交換器２１を流れる冷媒は、室内空気との熱交換によって冷却されて液化し、液管７を通って室外ユニット３に戻される。
【００４４】
この場合、排気扉６９および取入扉７５を開き、排気用ファン２３および外部空気取入用ファン２５を回転させる。
排気用ファン２３が回転すると吸引口部５１から取り入れられた室内空気の一部が全熱交換器１３に取り込まれ、全熱交換器１３および排気ダクト７１を通って排気開口部６７から外部に排気される。
一方、外部空気取入用ファン２５が回転すると、取入開口部７３から取入ダクト７７を通って全熱交換器１３に外部空気が供給される。
全熱交換器１３に供給された外部空気は、全熱交換器１３を通って排気される室内空気と熱交換され、残りの室内空気とともに室内熱交換器２１によって冷却あるいは加熱されて吹出ダクト５３を通り室内に供給される。
このとき、室内熱交換器２１で生じるドレンは上述のようにして外部に排出される。
【００４５】
このように、室内空気の一部を排出するとともにそれと取り入れた外部空気との間で熱交換させる全熱交換器１３が備えられているので、省エネルギーを図った冷暖房を伴った換気を行うことができる。
室内熱交換器２１に冷媒を供給しない状態で、排気用ファン２３および外部空気取入用ファン２５を運転すれば、室内の環境を略維持した状態での換気を行うことができる。
また、外部空気取入用ファン２５のみを作動させれば、外部空気を取り込む（吸気）ことができる。
このように、本実施形態の空気調和装置１は、冷暖房、換気、吸気等の種々の運転を行うことができる。
このため、建築基準法によって義務付けされた換気用の設備（換気ユニット、給排気用のダクト等）を別途設置する必要がなくなる。
【００４６】
次に、ドレンパン９３の製造方法について説明する。
まず、水受部材１０１を真空成形で製造する。真空成形に用いる金型１２３は、上面が受部１０７を逆にした形状、すなわち、折曲部１１１に相当する部分が突出した形状をし、側面上部が壁部１０９の傾斜と同じに傾斜するように形成されている。すなわち、水受部材１０１は、開いた状態で成形されるので、開放された形状であり、抜き勾配を十分に取れる。
金型１２３の内部は中空で、図示しない吸引源に接続され、かつ、上面および側面には多数の貫通孔が形成されている。
【００４７】
ＡＢＳ樹脂製の略矩形状をしたシート１２５をクランプした状態で、加熱して軟化させる。
この軟化したシート１２５に、金型１２３を押し当てつつ金型１２３内部の空気を吸引してシート１２５を金型１２３に密着させる。
その後、冷却してシート１２５の形状を固定し、金型１２３を離脱すると、水受部材１０１が成形される。
このとき、シート１２５における折曲部１１１の位置に対応する壁部１０９に相当する部分には折り目線が、また、挿入孔１１９に相当する部分には貫通孔が形成してある。
なお、この折り目線および貫通孔は成形した後で加工するようにしてもよい。
【００４８】
なお、ウェブ状のシート１２５を順次送って、上記工程を連続して行うようにしてもよい。
また、シート材を用いて真空成形するのではなく、射出成形で成形するようにしてもよい。
材料の樹脂としてＡＢＳ樹脂を用いているが、これはポリスチレン、ポリプロピレン、軟質ビニール等を用いてもよい。
【００４９】
次いで、第一構造部材１０３および第二構造部材１０５を発泡加工について説明する。
下金型１２７の上面は、水受部材１０１が逆さの状態で載置されるので、金型１２３の上面と略同様な形状とされている。
上金型１２９の下面は、ドレンパン９３の下面形状に沿った形状とされている。なお、挿入孔１１９に相当する位置では上金型１２９は下金型１２７に接触するような形状とされている。
ドレンパン９３は、開いた状態で成形されるので、開放された形状であり、上金型１２９および下金型１２７は抜き勾配を十分に取れる。
【００５０】
下金型１２７の上面に水受部材１０１を載置し、下金型１２７と上金型１２９との間に発泡ビーズとしてスチレンビーズ１３１を封入する。そして、下金型１２７と上金型１２９との間に蒸気を導入して蒸気加熱すると、スチレンビーズ１３１が二次発泡し、水受部材１０１と一体となった発泡スチロールである第一構造部材１０３および第二構造部材１０５が形成される。
このように、ドレンパン９３は、金型を用いた発泡加工によって効率的に成形することができる。
なお、発泡ビーズとしてスチレンを用いているが、これはポリウレタンを用いてもよいし、他の素材を用いてもよい。
また、第一構造部材１０３および第二構造部材１０５として発泡によって断熱機能を与えているが、これは別の断熱材を貼り付けて第一構造部材１０３および第二構造部材１０５を形成するようにしてもよい。
【００５１】
第一構造部材１０３はケーシング１１に接近して設置されているので、その断熱機能によって室外に設置された室外配置型室内ユニット５の室内熱交換器２１に、外部空気が影響するのを抑制することができる。
【００５２】
なお、本発明は上述した実施形態に限定されるものではなく、本発明の要旨を逸脱しない範囲内において適宜変更することができる。
例えば、本実施形態では、本発明を室外ユニット３に対して複数の室外設置型室内ユニット５が取付けられるマルチ室内ユニットタイプに適用したとして説明したが、これに限定されるものではなく、室外ユニット３に対して１台の室外設置型室内ユニット５が設けられるタイプに適用してもよいし、その他の形式の空気調和装置に適用してもよい。
また、室外に設置された室外設置型室内ユニット５ではなく、室内に設置される室内ユニットに適用してもよい。
【図面の簡単な説明】
【００５３】
【図１】本発明の一実施形態にかかる空気調和装置の設置状態を示す斜視図である
【図２】本発明の一実施形態にかかる室外設置型室内ユニットの内部構造を示す正面図である。
【図３】本発明の一実施形態にかかるドレンパンの全体構成を示す斜視図である。
【図４】図３のＹ−Ｙ断面図である。
【図５】本発明の一実施形態にかかる室外設置型室内ユニットの設置状態を示す図２のＸ−Ｘ断面図である。
【図６】本発明の一実施形態にかかる室外設置型室内ユニットの別の設置状態を示す図２のＸ−Ｘ断面図である。
【図７】本発明の一実施形態にかかる水受部材の製造状態を示す断面図である。
【図８】本発明の一実施形態にかかるドレンパンの製造状態を示す断面図である。
【符号の説明】
【００５４】
１  空気調和装置
３  室外ユニット
５，５ａ，５ｂ  室外設置型室内ユニット
２１  室内熱交換器
９３  ドレンパン
１０１  水受部材
１０３  第一構造部材
１０５  第二構造部材
１０９  壁部
１１１  折曲部
１１７  貫通孔
【図１】
2008128520.tif 000003
【図２】
2008128520.tif 000004
【図３】
2008128520.tif 000005
【図４】
2008128520.tif 000006
【図５】
2008128520.tif 000007
【図６】
2008128520.tif 000008
【図７】
2008128520.tif 000009
【図８】
2008128520.tif 000010